(57)【要約】      （修正有）【課題】簡単な構成で、比較的大きい積雪に対して使用者を選ばず人力で除雪できる除雪具を提供する。【解決手段】除雪具１は外面に長さ方向に１以上の長さ方向に設けられた溝部１３Ａ〜Ｅを有する２枚の板状体１２Ａ，１２Ｂを鋭角な先端部１１を構成するように一端面で固定し、後方に向かうに従って幅が広がるように構成した除雪部１０と、板状体１２Ａ，１２Ｂの内面の所定位置に回動自在に設けられた支軸に一端が固定された柄部２１と柄部２１の他端に設けられた把持部２２とからなる作動部２０とから構成されている。作動部２０は、使用者の身長、積雪状況に応じて除雪部１０の長さ方向に対して垂直方向に可動可能に設けられている。【選択図】図１
2015017457.tif 000002
【特許請求の範囲】
【請求項１】
外面に長さ方向に１以上の長さ方向に設けられた溝部を有する２枚の板状体を鋭角な先端部を構成するように一端面で固定し、後方に向かうに従って幅が広がるように構成した除雪部と、
前記板状体の内面の所定位置に回動自在に設けられた支軸に一端が固定された柄部と前記柄部の他端に設けられた把持部とからなる作動部とから構成され、
前記作動部は、使用者の身長、積雪状況に応じて前記除雪部の長さ方向に対して垂直方向に可動可能に設けられていることを特徴とする除雪具
【請求項２】
前記先端部は、先端側から後方に向けて所定の角度を有していることを特徴とする請求項１に記載の除雪具。
【発明の詳細な説明】
【技術分野】
【０００１】
本発明は、除雪具に関する。より詳しくは、手動で雪を押し分け、押し出し除雪するための除雪具に関する。
【背景技術】
【０００２】
主に積雪地においては、交通や場所の確保など冬季の円滑な社会活動の運営を目的として除雪が行われている。
【０００３】
これらのうち、家の出入口や駐車場など比較的小規模なもの、家の周りの道路等は、人力により除雪が行われている。
【０００４】
この主の除雪には、たとえばスノープシャと呼ばれる器具がある。例えば、特許文献１には１本の道具で降雪時の雪集め、排雪、また災害時の堆積した泥すくい等の作業が出来る、断続的に作業が出来、軽くて使い勝手の良い用具を提供する目的で、図５に示すような除雪排雪道具が提案されている。
【０００５】
この除雪排雪道具は、底面が平で先端が薄い形状である先端部１０１と、そこから弧を描き立ち上がった形状の胴体部１０２からなる除雪排雪用具本体と、胴体部１０２に排雪時の雪こぼれの防止を図るに適切な角度で取り付けられた柄１０５とを設けて構成されている。そして、先端部１０４は薄く徐々に厚くなる形状で雪や泥等がすくいやすく、先端から胴体部１０２までの先端部に平らな部分を作る事により地形に沿っての作業が容易にしている。装着部１０３の先端は除雪用具取り付け刃等、が取り付けられる形状になっている。また。胴体部１０２の凹凸により強度を増し、雪離れが良くなっている。こぼれ止部１０４により雪等が横へこぼれるのを防ぐ。柄１０５は立って作業が出来る高さに成るように長さを考慮している。取付部１０６は胴体部１０２に付けられた柄１０５の取り付け部で加えた力が先端に伝わる様に角度を決めている
【先行技術文献】
【特許文献】
【０００６】
【特許文献１】実用新案登録第３１７５２８０号公報
【発明の概要】
【発明が解決しようとする課題】
【０００７】
このような除雪装置は、構成が簡単で数センチメートルの柔らかい雪を除去するのに適切であるが、こぼれ止め部１０４に滞留した大量の雪を左右方向に放つ作業の繰り返しとなるため、ユーザには疲労を伴う作業となっていた。
【０００８】
また、柄１０５が所定角度で固定されているので、使用者によっては使用し難い場合がある。
【０００９】
本発明は、上記実情を鑑みて創作されたものであり、簡単な構成で、比較的大きい積雪に対して使用者を選ばず人力で除雪できる除雪具を提供することである。
【課題を解決するための手段】
【００１０】
本発明は、上記課題に鑑みて創作されたものであり、外面に長さ方向に１以上の長さ方向に設けられた溝部を有する２枚の板状体を鋭角な先端部を構成するように一端面で固定し、後方に向かうに従って幅が広がるように構成した除雪部と、前記板状体の内面の所定位置に回動自在に設けられた支軸に一端が固定された柄部と前記柄部の他端に設けられた把持部からなる作動部とから構成され、
前記作動部は、使用者の身長、積雪状況に応じて前記除雪部の長さ方向に対して垂直方向に可動可能に設けられていることを特徴とする除雪具に関する。
【００１１】
本発明の除雪具において、先端部は、先端側から後方に向けて所定の角度を有していることが好ましい。
【発明の効果】
【００１２】
本発明によると、除雪部を外面に長さ方向に１以上の長さ方向に設けられた溝部を有する２枚の板状体を鋭角な先端部を構成するように一端面で固定し、後方に向かうに従って幅が広がるように構成したので、使用者が作動部を押すことにより雪を用意に除去することが可能である。また、作動部は、除雪部の長さ方向に対して垂直方向に可動可能に設けられているので、使用者の身長に応じて作動部の高さ調整をできるとともに、例えば積雪量が多い場合には作動部を低くし、積雪量が少ない場合には作動部を高くする等、積雪量に応じて容易に除雪することが可能となる。
【図面の簡単な説明】
【００１３】
【図１】本発明の除雪具を示す斜視図。
【図２】図１に示す除雪具の作動部を示す側面図。
【図３】図１に示す除雪具の平面図。
【図４】図１に示す除雪具の使用状態を示す斜視図。
【図５】従来の除雪具を示す斜視図。
【発明を実施するための形態】
【００１４】
以下、本発明の実施の形態を添付図面に基づいて説明する。
【００１５】
図１に示す通り、本発明の除雪具１は、左右２枚の板状体である左側除雪板１２Ａと右側除雪板１２Ｂとを鋭角な先端部１１を構成し、後方へ向かうに幅が広くなるように貼り合わせ形成した除雪部１０と、ユーザＵが手動で除雪部１０を押すための作動部２０とから構成されている（図４参照）。
【００１６】
図２に示す通り、板状体である左側除雪板１２Ａ（右側除雪板１２Ｂ）は、除雪の際に雪を逃がして抵抗を少なくするために水平方向に先端部１１から後方に向かって溝部１３Ａ〜１３Ｅが設けられている。なお、図２には溝部１３Ａ〜１３Ｅの５本の溝部を設けているが溝部の面積、深さ、本数は、特に限定されるものではなく、幅広の溝部１本であっても複数本であってもよい。好ましくは、複数本の溝部を構成することにより除雪する雪を容易に逃がし抵抗を少なくすることができる。
【００１７】
本発明の除雪板１２Ａ，１２Ｂの材質は、本発明の目的・効果を奏する素材であれば特に限定されるものではなく、例えば、木材、プラスチック材料、ステンレス、亜鉛めっき鋼板（トタン）等を板状部として使用することができ、木材、鋼材等により強化することも可能である。
【００１８】
なお、本発明の好ましい実施形態において、先端部１１は、所定の角度α（好ましくは４５°から８０°の角度を有していることが好ましい。このように先端部１１に所定の角度を持たせることにより、先端部１１側から除雪する雪に本発明の除雪具１を差し込んだ際に抵抗少なく雪を掻き分けることが可能である。
【００１９】
このようにして構成された本発明の除雪具１における除雪部１０は、後述する通り、後部から先端部１０を押すことにより除雪すべき雪を先端部１０から左右の除雪板１２Ａ，１２Ｂに案内されて左右方向に排除する作用を有している。
【００２０】
除雪部１０の上部は、図３に示す通り、開口してもよく、あるいは、閉鎖されてもよい。すなわち、本発明の除雪部１０を構成する除雪板１２Ａ，１２Ｂが除雪すべき雪の高さより十分に高ければ除雪部１０の内側に雪が容易に入り込まず、除雪作業を行うことが可能である。
【００２１】
なお、先端部１１の角度は、固定されてもよく、可変とすることもできる。例えば、左右両方の除雪板１２Ａ，１２Ｂを蝶番により先端部１１で固定し、後述する支軸２３を前方、後方、中間の他段階で軸支するように軸受けを設け、支軸２３の固定位置により先端部１１の角度を変えることも可能である。
【００２２】
また、本発明の除雪具１において、除雪部１０に固定されユーザＵが本発明の除雪具１を作動させるための作動部２０は、図３に示す通り、除雪板１２Ａ，１２Ｂの内面の所定位置設けられた軸受け（図示せず）に回動自在に設けられた支軸２３に一端が固定された柄部２１と柄部２１の他端に設けられた把持部２２とから構成されている。
【００２３】
柄部２１は、木製、金属パイプ製、プラスチック製の棒状体であり、柄部２１の端部に設けられる把持部２２は、例えばスコップ等と同様に金属製等であっても良い。
【００２４】
このように構成することにより、作動部２０は、図４に示す通り、除雪部１０に対して垂直方向に動かすことが可能となる。なお、本発明の特定の実施形態において、可動部２０の動作範囲を規制することができる。例えば、左右両方の除雪板１２Ａ，１２Ｂの後端部にフレームを設け、フレームと柄部２１との間にゴム紐等の弾性体で接続することにより動作範囲を規制することも可能である。
なお、左右両方の除雪板１２Ａ，１２Ｂの後端部の形状を外側へ湾曲させる形状とすることにより除雪効率をさらに高めることができる。
【００２５】
このように構成された本発明の除雪具１は、図４に示す通り、除雪部１０を先端部１１が固定された左右の除雪版１２Ａ，１２Ｂにより構成したので、後部から先端部１１方向に押すことによって、除雪すべき雪を左右に掻き分けて除雪することが可能である。左右２枚の除雪版１２Ａ，１２Ｂは１ないし複数の溝部１３Ａ〜Ｅを有しているので前方に雪を押す動作の際に抵抗少なく除雪が可能である。
【００２６】
また、除雪部１０をユーザＵにより押すための作動部２０は、垂直方向に移動可能に構成されている。そのため、背丈に関係なく幅広いユーザが力の入れやすい位置で本発明の除雪具１を把持することが可能である。
【００２７】
また、除雪部１０をユーザＵにより押すための作動部２０は、垂直方向に移動可能に構成されているので、除雪すべき雪への負荷を状況に応じて返ることが可能である。すなわち、例えば、積雪量の多い箇所や除雪すべき雪が固まっている場合など、除雪部１０に大きい負荷をかける必要がある際には作動部２０を低位に持ち上げ押す動作を行うことにより、高負荷で除雪を行うことが可能である。一方、除雪の際に比較的負荷をかけずにすむ場合には、本発明の除雪具１の作動部２０を高位に移動させることにより楽に除雪作業を行うことが可能である。
【００２８】
また、本発明の除雪具１は、所定の除雪版１２Ａ，１２Ｂを二枚先端部１１で固定した除雪部１０と作動部２０との簡単な構成を有している。
【００２９】
このように、本発明の除雪具１は、簡単な構成で、ユーザの背丈に関わらず除雪可能であり、また除雪すべき雪の状態に応じて負荷を変えることが可能であるので、柔らかい雪を低負荷で除雪することも、氷状に固まった硬い雪を高負荷で除雪することも可能である。
【符号の説明】
【００３０】
１  除雪具
１０  除雪部
１１  先端部
１２Ａ、Ｂ  除雪板
１３Ａ〜Ｅ  溝部
２０  作動部
２１  柄部
２２  把持部
２３  支軸
【図１】
2015017457.tif 000003
【図２】
2015017457.tif 000004
【図３】
2015017457.tif 000005
【図４】
2015017457.tif 000006
【図５】
2015017457.tif 000007